【事件の表示】
　特願２０１２−１１４５５９「遊戯用撮影装置、遊戯用撮影方法およびプログラム」拒絶査定不服審判事件〔平成２５年１２月　５日出願公開、特開２０１３−２４３４６６〕について、次のとおり審決する。
【結　論】
　本件審判の請求は、成り立たない。
【理　由】
第１　手続
１　手続の経緯
　本願は、平成２４年５月１８日の出願であって、その手続の概要は、以下のとおりである。
手続補正書　　　　　　　　　：平成２７年　５月１４日
拒絶理由通知　　　　　　　　：平成２８年　３月２３日（起案日）
意見書　　　　　　　　　　　：平成２８年　５月２７日
手続補正書　　　　　　　　　：平成２８年　５月２７日
拒絶理由通知（最後）　　　　：平成２８年　６月２９日（起案日）
意見書　　　　　　　　　　　：平成２８年　９月　１日
手続補正書　　　　　　　　　：平成２８年　９月　１日
拒絶査定　　　　　　　　　　：平成２８年１０月２５日（起案日）
拒絶査定不服審判請求　　　　：平成２９年　１月１８日
手続補正書　　　　　　　　　：平成２９年　１月１８日
拒絶理由通知（当審）（最後）：平成３０年　４月２７日（起案日）
意見書　　　　　　　　　　　：平成３０年　７月　４日
手続補正書　　　　　　　　　：平成３０年　７月　４日
２　当審における拒絶の理由
　平成３０年４月２７日付けの拒絶理由通知書で当審が通知した拒絶の理由は、概略、以下のとおりである。
理由１．（サポート要件）本願の請求項１〜８に係る発明は、発明の詳細な説明に記載したものでないから、本願は、特許法第３６条第６項第１号に規定する要件を満たしていない。
理由２．（明確性）本願の請求項１〜８に係る発明は明確でないから、本願は、特許法第３６条第６項第２号に規定する要件を満たしていない。
理由３．（進歩性）本願の請求項１〜８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
１．特開２０１２−３７７３５号公報
２．特開２００９−１２４２３１号公報
３．特開２００６−３３１５５号公報（周知技術を示す文献）
４．特開２００７−５８６２７号公報（周知技術を示す文献）
第２　平成３０年７月４日付けの手続補正についての補正の却下の決定
［補正の却下の決定の結論］
　平成３０年７月４日付けの手続補正を却下する。
［理由］
１　本件補正の内容
　平成３０年７月４日付けの手続補正（以下、「本件補正」という。）は、平成２９年１月１８日付けの手続補正により補正された特許請求の範囲の請求項１ないし８を、本件補正による特許請求の範囲の請求項１ないし８に補正するものであるところ、本件補正は、請求項１に係る次の補正事項を含むものである（下線は補正箇所を示す。）。
（補正前の請求項１）
　　【請求項１】
　利用者を撮影する撮影手段と、
　撮影画像を表示する表示手段と、
　前記表示手段の表示画面に対して前記利用者が操作入力を行うための入力手段と、
　前記各手段を制御する制御手段と、を備えており、
　前記制御手段は、
　前記利用者に正面を向かせる指示を伴って行われる識別撮影により取得した取得画像に含まれる、前記利用者の顔を個別に識別するための特徴量に基づいて、第１の利用者と第２の利用者を個別に識別する識別処理と、
　前記利用者の画像に施す補正処理の内容を選択するための前記操作入力に基づいて、前記第１及び第２の利用者ごとにその補正処理の内容を決定する決定処理と、
　前記識別撮影以外の複数回の撮影によって得られた複数の前記撮影画像に含まれる前記利用者の画像のうち、前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す画像処理と、を実行し、
　前記制御手段は、前記決定処理において、
　前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
　前記制御手段は、前記操作画面として、
　前記第１及び第２の利用者の画像と、
　前記第１の利用者用の第１の操作ボタンと、前記第１の利用者の画像に施す複数種類の補正処理の内容を選択するための第１の選択ボタンとを含む第１の選択画面であって、前記第１の操作ボタンが操作されるまで前記第１の選択ボタンによる選択を許容しかつ前記第１の操作ボタンが操作されると次の別の画面に遷移する前記第１の選択画面と、
　前記第２の利用者用の第２の操作ボタンと、前記第２の利用者の画像に施す複数種類の補正処理の内容を選択するための第２の選択ボタンとを含む第２の選択画面であって、前記第２の操作ボタンが操作されるまで前記第２の選択ボタンによる選択を許容しかつ前記第２の操作ボタンが操作されると次の別の画面に遷移する前記第２の選択画面とを、前記表示手段に表示させることを特徴とする遊戯用撮影装置。
（補正後の請求項１）
　　【請求項１】
　利用者を撮影する撮影手段と、
　撮影画像を表示する表示手段と、
　前記表示手段の表示画面に対して前記利用者が操作入力を行うための入力手段と、
　前記各手段を制御する制御手段と、を備えており、
　前記制御手段は、
　前記利用者に正面を向かせる指示を伴って行われる識別撮影により取得した取得画像に含まれる、前記利用者の顔を個別に識別するための特徴量に基づいて、第１の利用者と第２の利用者を個別に識別する識別処理と、
　前記利用者の画像に施す補正処理の内容を選択するための前記操作入力に基づいて、前記第１及び第２の利用者ごとにその補正処理の内容を決定する決定処理と、
　前記識別撮影以外の複数回の撮影によって得られた複数の前記撮影画像に含まれる前記利用者の画像のうち、前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す画像処理と、を実行し、
　前記制御手段は、前記決定処理において、
　前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
　前記制御手段は、前記操作画面として、
　前記第１及び第２の利用者の画像と、
　前記第１の利用者用の第１の操作ボタンと、前記第１の利用者の画像に施す複数種類の補正処理の内容を選択するための第１の選択ボタンとを含む第１の選択画面であって、前記第１の操作ボタンが操作されるまで前記第１の選択ボタンによる選択を許
容す
　前記第２の利用者用の第２の操作ボタンと、前記第２の利用者の画像に施す複数種類の補正処理の内容を選択するための第２の選択ボタンとを含む第２の選択画面であって、前記第２の操作ボタンが操作されるまで前記第２の選択ボタンによる選択を許
容す
、
　
前記制御手段は、前記第１及び第２の利用者以外の利用者が前記撮影画像に含まれる場合に、当該利用者についても所定の補正を施す
２　補正の適合性
（１）補正事項
　本件補正は、請求項１に係る次の補正事項１〜３を含むものである。
（補正事項１）
　補正前の請求項１の「前記第１の操作ボタンが操作されるまで前記第１の選択ボタンによる選択を許容しかつ前記第１の操作ボタンが操作されると次の別の画面に遷移する」という記載を、「前記第１の操作ボタンが操作されるまで前記第１の選択ボタンによる選択を許
容す
（補正事項２）
　補正前の請求項１の「前記第２の操作ボタンが操作されるまで前記第２の選択ボタンによる選択を許容しかつ前記第２の操作ボタンが操作されると次の別の画面に遷移する」という記載を、「前記第２の操作ボタンが操作されるまで前記第２の選択ボタンによる選択を許
容す
（補正事項３）
　補正前の請求項１に「
前記制御手段は、前記第１及び第２の利用者以外の利用者が前記撮影画像に含まれる場合に、当該利用者についても所定の補正を施す
（２）補正の目的について
　補正事項１及び補正事項２は、平成３０年４月２７日付けの拒絶理由通知書において明確でないと指摘された事項について釈明を行うものであるから、明りょうでない記載の釈明を目的とする補正といえ、特許法第１７条の２第５項第４号の規定に該当するものである。
　補正事項３は、補正前の請求項１の「制御手段」について、「
前記制御手段は、前記第１及び第２の利用者以外の利用者が前記撮影画像に含まれる場合に、当該利用者についても所定の補正を施す
　そして、本件補正前の請求項１に記載された発明と本件補正後の請求項１に記載された発明の産業上の利用分野及び解決しようとする課題は変わるものではなく、同一であるといえるから、補正事項３は、特許法第１７条の２第５項第２号の規定に該当するものである。
（３）補正の範囲及び単一性について
　補正事項１及び補正事項２は、願書に最初に添付した明細書、特許請求の範囲又は図面（以下、「当初明細書等」という。）の段落００８１、０１０４、０１０５の記載に基づくものであり、補正事項３は、当初明細書等の段落００９８〜０１００の記載に基づくものである。
　よって、請求項１に係る補正は、願書に最初に添付した明細書、特許請求の範囲又は図面に記載した事項の範囲内においてするものであり、特許法第１７条の２第３項の規定に適合するものである。
　また、上記（２）のとおり、補正事項１及び補正事項２は、明りょうでない記載の釈明を目的とする補正であり、補正事項３は、特許請求の範囲の減縮を目的とする補正であるから、本件補正前の請求項１に記載された発明と、本件補正後の請求項１に記載された発明は、発明の単一性の要件を満たすものといえ、請求項１に係る補正は、特許法第１７条の２第４項の規定に適合するものである。
（４）独立特許要件について
　以上のように、請求項１に係る補正は、特許請求の範囲の減縮を目的とする補正を含むから、本件補正後の請求項１に記載された発明が、特許法第１７条の２第６項において準用する同法第１２６条第７項の規定に適合するか（特許出願の際独立して特許を受けることができるものであるか）について以下に検討する。
（４−１）本願補正発明
　本件補正後の請求項１に記載された発明（以下、「本願補正発明」という。）は、次のとおりのものである。
　なお、本願補正発明の各構成の符号は、説明のために当審において付与したものであり、以下、構成Ａ〜構成Ｅと称する。
（本願補正発明）
（Ａ）利用者を撮影する撮影手段と、
（Ｂ）撮影画像を表示する表示手段と、
（Ｃ）前記表示手段の表示画面に対して前記利用者が操作入力を行うための入力手段と、
（Ｄ）前記各手段を制御する制御手段と、を備えており、
　前記制御手段は、
（Ｄ１）前記利用者に正面を向かせる指示を伴って行われる識別撮影により取得した取得画像に含まれる、前記利用者の顔を個別に識別するための特徴量に基づいて、第１の利用者と第２の利用者を個別に識別する識別処理と、
（Ｄ２）前記利用者の画像に施す補正処理の内容を選択するための前記操作入力に基づいて、前記第１及び第２の利用者ごとにその補正処理の内容を決定する決定処理と、
（Ｄ３）前記識別撮影以外の複数回の撮影によって得られた複数の前記撮影画像に含まれる前記利用者の画像のうち、前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す画像処理と、を実行し、
（Ｄ４）前記制御手段は、前記決定処理において、
　前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
（Ｄ５）前記制御手段は、前記操作画面として、
（Ｄ５−１）前記第１及び第２の利用者の画像と、
（Ｄ５−２）前記第１の利用者用の第１の操作ボタンと、前記第１の利用者の画像に施す複数種類の補正処理の内容を選択するための第１の選択ボタンとを含む第１の選択画面であって、前記第１の操作ボタンが操作されるまで前記第１の選択ボタンによる選択を許容する前記第１の選択画面と、
（Ｄ５−３）前記第２の利用者用の第２の操作ボタンと、前記第２の利用者の画像に施す複数種類の補正処理の内容を選択するための第２の選択ボタンとを含む第２の選択画面であって、前記第２の操作ボタンが操作されるまで前記第２の選択ボタンによる選択を許容する前記第２の選択画面とを、前記表示手段に表示させ、
（Ｄ６）前記制御手段は、前記第１及び第２の利用者以外の利用者が前記撮影画像に含まれる場合に、当該利用者についても所定の補正を施すことを特徴とする
（Ｅ）遊戯用撮影装置。
（４−２）引用文献の記載事項
ア　引用文献１
　平成３０年４月２７日付けの拒絶理由通知書で引用された引用文献１である特開２０１２−３７７３５号公報には、「画像編集装置および方法、並びにプログラム」（発明の名称）に関し、図面とともに次に掲げる事項が記載されている。
　なお、下線は、強調のために当審で付したものである。
（ア）「【００４０】
　図１は、
本発明を適用した写真シール作成装置
【００４１】
　図１の
写真シール作成装置１は、撮影や編集等の作業の娯楽性を高め、それらの作業を利用者にゲーム（遊戯サービス）として行わせ、撮影画像や編集済み画像を写真シールやデータとして利用者に提供する代わりに、利用者より代金を受け取るゲーム装置（遊戯サービス提供装置）である
（イ）「【０１０６】
　次に、写真シール作成装置１の内部の構成例について説明する。
【０１０７】
　図８は、写真シール作成装置１の機能的構成例を示すブロック図である。以上において説明した部分と同じ部分については、同じ番号を付してある。
【０１０８】
　図８において、
写真シール作成装置１は
制御部１０１を有しており、その制御部１０１には
撮影部１１２
がそれぞれ所定のバスを介して接続される
（中略）
【０１１３】
　
撮影部１１２は
カメラ５１
タッチパネルモニタ５２
を有する
（中略）
【０１１７】
　
カメラ５１は、制御部１０１に制御されて、写真シール作成ゲームの撮影作業の工程において、撮影空間３２内の利用者等を被写体として撮影を行う
【０１１８】
　
タッチパネルモニタ５２は、ライブビューモニタ１２３を備えて構成される
タッチパネルモニタ５２のライブビューモニタ１２３は、制御部１０１より供給されるRGB信号に基づく画像（カメラ５１によりリアルタイムに取り込まれている画像や、撮影画像を用いて作成された合成画像、GUI画像など）を表示する
タッチパネルモニタ５２は、利用者が、自分自身の指等を用いてこのタッチパネルモニタ５２にタップ（接触または近接）すると、その位置情報を制御部１０１に供給する。制御部１０１は、その位置情報を解析し、表示画像に対して利用者が入力した情報や指示を特定し、受け付ける
（ウ）「【０１２９】
　次に、制御部１０１について説明する。図９は、制御部１０１がROM１０６などに格納されているプログラムを実行することにより実現される機能ブロックの構成例を示している。
【０１３０】
　
制御部１０１は
利用者を撮影する等の写真シール作成ゲームの撮影作業の工程に関する処理を行う撮影処理部２０２
を有する
【０１３１】
　つまり、制御部１０１は、写真シール作成ゲームの各工程に関する処理の制御を行う。
（中略）
【０１３４】
　図１０の例において、
撮影処理部２０２は
コース選択制御部２１３
撮影画像取得部２１６、画像処理制御部２１７
から構成される
（エ）「【０１６４】
　ステップＳ２１において、
撮影処理部２０２のコース選択制御部２１３は、タッチパネルモニタ５２に、撮影コース選択画面を表示させ、利用者に撮影コースを選択させる。例えば、利用者は、撮影コース選択画面に設けられたGUIボタン（例えば、「カップルコース」ボタンおよび「フレンドコース」ボタン）のいずれかを選択（例えば、ボタン上をタップ）し、撮影コースの選択指示を入力する。後述するように、撮影コースには、利用者の属性（例えば、利用者の間柄）に関するコースとして、例えば、カップルコースとフレンドコースとがある。カップルコースは、特に、男女２人組の利用者向けの撮影処理が行われる撮影コースであり、フレンドコースは、同性２人組や３人以上のグループの利用者向けの撮影処理が行われる撮影コースである
（オ）「【０１６８】
　次に、図１３および図１４のフローチャートを参照して、図１２のステップＳ２３において実行されるカップルコース撮影処理の詳細な流れを説明する。
（中略）
【０１７２】
　
ステップＳ３４において、コース選択制御部２１３は、撮影画像に対して行われる画像処理の種類を選択させるための選択画面（GUI）を、タッチパネルモニタ５２に表示する
【０１７３】
　この画像処理の種類を選択させる選択画面としては、例えば、図１５に示す性別選択画面が表示される。
（中略）
【０１８１】
　すなわち、カップルコース撮影処理においては、撮影画像に対して行われる画像処理として、選択された性別に応じた画像処理（男性用画像処理または女性用画像処理）が行われる。ここで、男性用画像処理は、例えば、被写体の顔画像に対して、肌の色を日焼けしたように茶色くしたり、顔の輪郭を細くする処理とされ、女の子用画像処理は、例えば、被写体の顔画像に対して、肌の色を白くしたり、目の大きさを大きくする処理とされる。なお、性別として男性が選択された場合には、男性用画像処理が行われるようにしたが、いずれの画像処理も行われないようにしてもよい。これにより、利用者に男性が含まれる場合には、男性である被写体の顔がよりリアルな撮影画像が取得されるようになる。
【０１８２】
　図１３のフローチャートに戻り、
ステップＳ３５において、コース選択制御部２１３は、ステップＳ３４の処理で表示された性別選択画面３０１における、利用者による男女別の画像処理の選択、すなわち、性別の選択を受け付ける
【０１８３】
　ステップＳ３６において、コース選択制御部２１３は、ステップＳ３５において受け付けた利用者による選択に応じた画像処理が施されたサンプル画像を表示する。
【０１８４】
　すなわち、図１５Ａに示される性別選択画面３０１において、被写体Ａに対応する利用者によって男女選択ボタン３１２−１の「男の子」ボタンが選択され、被写体Ｂに対応する利用者によって男女選択ボタン３１２−２の「女の子」ボタンが選択されると、図１５Ｂに示されるように、男女選択ボタン３１２−１の「男の子」ボタンが強調表示されるとともに、男女選択ボタン３１２−２の「女の子」ボタンが強調表示される。また、サンプル画像表示部３１３−１には、ライブビュー画像から抽出された静止画像における被写体Ａの顔の領域を抽出した顔画像に対して、男性用画像処理を施した顔画像（被写体Ａ’）が表示され、サンプル画像表示部３１３−２には、ライブビュー画像から抽出された静止画像における被写体Ｂの顔の領域を抽出した顔画像に対して、女性用画像処理を施した顔画像（被写体Ｂ’）が表示される。
【０１８５】
　これにより、利用者は、画像処理が施された後の撮影画像をイメージすることができる。
【０１８６】
　なお、図１５の性別選択画面３０１においては、サンプル画像表示部３１３に、選択された性別に対応した画像処理が施された顔画像が、サンプル画像として表示されるようにしたが、図１６に示されるように、性別選択画面３０１において、サンプル画像表示部３１３を設けずに、選択された性別に対応した画像処理が施された顔画像（サンプル画像）を表示させないようにしてもよい。この場合、図１３のフローチャートのステップＳ３６における処理は省略される。これにより、利用者は、画像処理が施された後の撮影画像を楽しみにしながら、撮影作業を行うことができるようになる。
（中略）
【０１９１】
　ステップＳ３９において、ライブビュー表示制御部２１５は、撮影用合成用画像とカメラ５１の取り込み画像を合成し、タッチパネルモニタ５２に表示（ライブビュー表示）する。ここで、ステップＳ３７において、カップルコースに応じた撮影用合成用画像が選択された場合、タッチパネルモニタ５２には、カップルコースに応じた撮影用合成用画像が合成された取り込み画像がライブビュー表示されるようになる。ライブビュー表示処理の詳細については後述する。
【０１９２】
　
ステップＳ４０において、撮影画像取得部２１６は、タッチパネルモニタ５２等にカウントダウンインジケータを表示し、カメラ５１を制御して撮影を行い、撮影画像を得る
【０１９３】
　
ステップＳ４１において、画像処理制御部２１７は、ステップＳ４０において得られた撮影画像における被写体それぞれに対して、ステップＳ３５において選択された画像処理を行う
【０１９４】
　ステップＳ４２において、合成画像処理部２１８は、画像処理が行われた撮影画像に撮影用合成用画像を合成し、合成画像を生成する。さらに、合成画像処理部２１８は、ステップＳ４３において、生成した合成画像をタッチパネルモニタ５２等に表示し、利用者に合成画像（撮影結果）を確認させる。
【０１９５】
　ステップＳ４４において、進行処理部２１１は、
所定回数撮影したか否かを判定し、撮影枚数が予め定められている所定回数に達していない場合、処理は、ステップＳ３９に戻り、それ以降の処理が繰り返される
撮影画像を得るための撮影が行われ、合計６回の撮影が行われた場合
（カ）「【０２１２】
　以上においては、サンプル画像として、ライブビュー画像（取り込み画像）から抽出した静止画像における被写体の顔領域に対して、選択された性別毎の画像処理を施した顔画像を表示するようにしたが、
利用者の顔をためし撮影することで顔画像を得て
【０２１３】
　ここで、図１７および図１８のフローチャートを参照して、
利用者の顔をためし撮影することで顔画像を得て、選択された性別毎の画像処理を施した顔画像を、サンプル画像として表示するようにしたカップルコース撮影処理
【０２１４】
　なお、図１７および図１８のフローチャートのステップＳ７１乃至Ｓ７５，Ｓ８０乃至９６の処理は、図１３および図１４のフローチャートのステップＳ３１乃至Ｓ３３，Ｓ３９乃至Ｓ５５の処理と基本的に同様であるので、その説明は省略する。
【０２１５】
　すなわち、図１７のフローチャートのステップＳ７５において、撮影用合成用画像の選択を受け付けた後、
ステップＳ７６において、コース選択制御部２１３は、タッチパネルモニタ５２に、ためし撮影実行画面を表示させ、利用者にためし撮影を行わせる
【０２１６】
　このためし撮影を行わせるためし撮影実行画面としては、例えば、図１９Ａに示すためし撮影実行画面４００が表示される。
【０２１７】
　ためし撮影実行画面４００の中央付近には、顔画像表示部４１１−１および４１１−２が設けられている。顔画像表示部４１１−１および４１１−２においては、それぞれ、カメラ５１からの被写体Ａおよび被写体Ｂのライブビュー画像における顔の領域が表示されている。
【０２１８】
　また、ためし撮影実行画面４００の下部には、例えば「３，２，１，０」等とためし撮影のシャッタータイミングまでの残り秒数を示すためし撮影カウントダウンインジケータ４１２が表示されている。
【０２１９】
　ためし撮影実行画面４００の右上部には、撮影作業に予め割り当てられた制限時間の残り時間（残時間）を表示する残時間表示部４１３が設けられている。さらに、
ためし撮影実行画面４００の上部には、２名の利用者それぞれに、ためし撮影の準備を促すメッセージ「枠の中に入って、ためし撮りするよ！」が表示されている
【０２２０】
　利用者は、顔画像表示部４１１−１および４１１−２それぞれに、ライブビュー画像における利用者（被写体）それぞれの顔が表示されるように移動し、
ためし撮影カウントダウンインジケータ４１２に表示されている数字が「０」になったときにためし撮影が行われる
【０２２１】
　図１７のフローチャートに戻り、
ステップＳ７７において、コース選択制御部２１３は、撮影画像に対して行われる画像処理の種類を選択させるための選択画面（GUI）を、タッチパネルモニタ５２に表示する
【０２２２】
　
ステップＳ７６においてためし撮影が行われると、タッチパネルモニタ５２に表示されていた図１９Ａで示されたためし撮影実行画面４００は、図１９Ｂに示される性別選択画面４２０に切り替わる
【０２２３】
　図１９Ｂに示されるように、
性別選択画面４２０の中央付近には、ためし撮影実行画面４００と同様に、顔画像表示部４１１−１および４１１−２が設けられている。ただし、ここでは、ためし撮影の結果得られた、被写体Ａおよび被写体Ｂの静止画像における顔の領域（顔画像）が顔画像表示部４１１−１および４１１−２それぞれに表示されている
（キ）「【０２３９】
　次に、図２１および図２２のフローチャートを参照して、図１２のステップＳ２４において実行される
フレンドコース撮影処理の詳細な流れを説明する
【０２４０】
　なお、
図２１および図２２のフローチャートのステップＳ１１１乃至Ｓ１１３，Ｓ１１６乃至Ｓ１２０，Ｓ１２２乃至Ｓ１３０，Ｓ１３２乃至Ｓ１３５の処理は、図１３および図１４のフローチャートのステップＳ３１乃至Ｓ３３，Ｓ３６乃至Ｓ４０，Ｓ４２乃至Ｓ５０，Ｓ５２乃至Ｓ５５の処理と基本的に同様である
【０２４１】
　すなわち、
ステップＳ１１４において、コース選択制御部２１３は、撮影画像に対して行われる画像処理の種類を選択させるための選択画面（GUI）を、タッチパネルモニタ５２に表示する
【０２４２】
　この
画像処理の種類を選択させる選択画面としては、例えば、図２３に示す目の大きさ選択画面が表示される
（中略）
【０２５０】
　図２１のフローチャートに戻り、
ステップＳ１１５において、コース選択制御部２１３は、ステップＳ１１４の処理で表示された目の大きさ選択画面５０１における、利用者毎の画像処理の選択、すなわち、目の大きさの選択を受け付ける
【０２５１】
　なお、ステップＳ１１６において表示されたサンプル画像は、図２３の目の大きさ選択画面５０１には図示されないサンプル画像表示部に表示される。なお、目の大きさ選択画面５０１にサンプル画像表示部が設けられない場合には、ステップＳ１１６の処理は省略される。
【０２５２】
　そして、
ステップＳ１２１において、画像処理制御部２１７は、ステップＳ１２０において得られた撮影画像における被写体それぞれに対して、ステップＳ１１５において選択された画像処理（目サイズ変更処理）を行う
（ク）「【０２５６】
　なお、図２３を参照した説明においては、利用者（被写体）は２人であるものとしたが、フレンドコース撮影処理においては、利用者は３人以上であってもよい。
【０２５７】
　図２４は、
フレンドコース撮影処理において、３人で撮影作業を行う場合に、タッチパネルモニタ５２に表示される目の大きさ選択画面５０１の例を示している
【０２５８】
　図２４Ａに示される目の大きさ選択画面５０１には、図２３で示される構成に加え、
目の大きさ選択ボタン５１２−１および５１２−２それぞれの下に、目の大きさ選択ボタン５１２−１および５１２−２それぞれに対する目の大きさの選択を決定させるためのOKボタン５１４−１および５１４−２が設けられている
ライブビュー画像表示部５１１においては、カメラ５１からの、被写体Ａ、被写体Ｂ、および被写体Ｃのライブビュー画像が表示されている
【０２５９】
　以下においては、OKボタン５１４−１および５１４−２を互いに区別して説明する必要のない場合、OKボタン５１４と称する。
【０２６０】
　図２４Ａに示される目の大きさ選択画面５０１においては、
被写体Ａ、被写体Ｂ、および被写体Ｃは、それぞれ、１人目、２人目、および３人目の被写体として認識されている
目の大きさ選択ボタン５１２−１およびOKボタン５１４−１は、１人目の被写体に対応し、目の大きさ選択ボタン５１２−２およびOKボタン５１４−２は、２人目の被写体に対応している
被写体Ａに対応する利用者は、目の大きさ選択ボタン５１２−１により目の大きさを選択し、OKボタン５１４−１によりその選択を決定させ、被写体Ｂに対応する利用者は、目の大きさ選択ボタン５１２−２により目の大きさを選択し、OKボタン５１４−２によりその選択を決定させることができる
【０２６１】
　そして、被写体Ｂに対応する利用者が目の大きさ選択ボタン５１２−２の「中」ボタンを選択し、OKボタン５１４−２により選択を確定させると、目の大きさ選択画面５０１は、図２４Ｂに示されるように変化する。すなわち、２人目の被写体である被写体Ｂに対応する利用者により目の大きさ選択ボタン５１２−２およびOKボタン５１４−２が操作され、目の大きさが選択・決定されると、目の大きさ選択ボタン５１２−２およびOKボタン５１４−２は、３人目の被写体である被写体Ｃに対応するようになる。すなわち、被写体Ｃに対応する利用者は、目の大きさを選択・決定できるようになる。
【０２６２】
　このように、
利用者（被写体）が３人であっても、目の大きさを選択・決定可能な２人のうち、先に選択・決定の操作をした被写体に対応する目の大きさ選択ボタン５１２およびOKボタン５１４が、３人目の被写体に対応するようになるので、被写体３人それぞれが、目の大きさを選択・決定することができる
被写体が４人以上であっても同様である
（ケ）「【０２６７】
　さらに、
フレンドコース撮影処理においても、図１７のフローチャートを参照して説明したカップルコース撮影処理と同様に、ためし撮影を行った後に、目サイズ変更処理などの画像処理を選択させるようにしてもよい
（コ）「【図１３】
」
（サ）「【図１７】
」
（シ）「【図１９】
」
（ス）「【図２１】
」
（セ）「【図２４】
」
イ　引用文献２
　平成３０年４月２７日付けの拒絶理由通知書で引用された引用文献２である特開２００９−１２４２３１号公報には、「画像補正装置および画像補正方法」（発明の名称）に関し、図面とともに次に掲げる事項が記載されている。
　なお、下線は、強調のために当審で付したものである。
（ア）「【０００１】
　本発明は、画像補正装置および画像補正方法に関し、特に、
複数の顔の各々に対して所望の補正をする画像補正装置
（イ）「【０００３】
　また、近年の
写真シール販売装置においては、画像の顔部分を検出した後、顔部分が適正な明るさとなるように画像全体の明るさを補正したり、肌が白くなるように補正したりしている。さらには、目の部分を検出して、目がぱっちり見えるような画像補正を行う機能が搭載されている
（中略）
【発明の開示】
【発明が解決しようとする課題】
【０００５】
　しかし、上記のプリンタや
写真シール販売装置では、写真に複数の人物が写っている場合でも、画像の明るさや色調の補正は画像全体に一律に行われていた。すなわち、撮影画像に複数の人物が含まれている場合でも、各々の人物を区別し、各々の人物に対して異なる補正を行ってはいなかった
（ウ）「【００２８】
　補正パラメータは、予め補正パラメータ記憶部１１０に記憶され、顔の補正の種類と、補正方法を含む補正情報である。図４に、補正パラメータ記憶部１１０に記憶される補正パラメータの内容を示した。図４は、補正パラメータ記憶部１１０に記憶される補正パラメータの内容を説明する説明図である。図４に示したように、補正パラメータ４２０は、補正の内容を示す項目４２２と、補正方法を示すパラメータ４２４などを含む。
項目４２２は、顔の補正部位を示すものであり、例えば、髪の毛の色、瞳の色、肌の色などが挙げられる。また、パラメータ４２４は、各項目における補正の方法を示すものであり、髪の毛の色の場合は「補正無し、茶、こげ茶、赤」などを例示でき、瞳の色の場合は「補正無し、水色、青、緑」などを例示でき、肌の色の場合は「補正無し、白、やや白、黒」などを例示することができる
【００２９】
　表示画像生成部１１２は、画像補正部１０６により補正された顔を含む表示画像を生成して表示部４０に提供する機能を有する。また、表示画像生成部１１２は、顔検出部１０２により検出された複数の顔の検出結果に基づいて、複数の顔の各々の顔領域に対し、顔枠を重畳する。顔枠の重畳がなされた画像は、表示画像生成部１１２から表示部４０に提供され、表示部４０に出力・表示される。この場合、上記した図３に示した補正後の画像が表示部４０に表示されることとなる。
【００３０】
　また、表示画像生成部１１２が、ユーザにより選択される補正パラメータの選択メニューを含む表示画像を生成することもできる。
図５に、表示画像生成部１１２により生成されて、表示部４０に表示される補正パラメータの選択メニューの一例を示した。図５に示したように、表示部４０には、補正パラメータ選択メニュー４３０が表示され、上述した補正項目４３２と、パラメータ４３４が表示される。図５に示したように、パラメータ４３４は、プルダウンメニューであってもよいし、パラメータの一覧が表示されてもよい
（エ）「【００４１】
（第２実施形態）
　本実施形態は、第１実施形態と比べ、予め顔の情報を記憶して、入力画像に含まれる顔の特徴量を検出し、記憶された顔の情報と一致するか否かを判定し、当該判定に基づいて画像の補正を行う点で異なっている。以下では、第１実施形態とは異なる機能について主に説明する。
【００４２】
　図８は、本実施形態にかかる画像補正装置１０ｂの機能構成を示すブロック図である。図８に示したように、画像補正装置１０ｂは、顔検出部１０２と、顔選択部１０４と、画像補正部１０６と、補正パラメータ選択部１０８と、補正パラメータ記憶部１１０と、表示画像生成部１１２と、顔判定部１１４と、顔情報記憶部１１６などから構成される。また、画像補正装置１０ａは、画像入力部２０とユーザ操作部３０と表示部４０とが接続されている。本実施形態にかかる画像補正装置１０ｂは、第１実施形態にかかる画像補正装置１０ａと比較して、顔判定部１１４と顔情報記憶部１１６が追加されているが、それ以外は第１実施形態の機能と同様であるため、異なる機能について詳細に説明する。
【００４３】
　顔判定部１１４は、
入力画像に含まれる顔の特徴量と、後述する顔情報記憶部１１６に記憶された顔の特徴量とが一致するか否かを判定
顔の特徴量の判定の結果、入力画像に含まれる顔の特徴量が、顔情報記憶部１１６に記憶されていないと判定された場合には、当該顔を顔情報記憶部１１６に記憶するようにしてもよい
【００４４】
　顔情報記憶部１１６は、複数の顔の特徴量を記憶する機能を有し、例えば、Ｆｌａｓｈメモリなどの不揮発性メモリや、ハードディスクおよび円盤型磁性体ディスクなどの磁気ディスクなどの記憶媒体であってもよい。顔情報記憶部１１６には、予め顔の特徴量が記憶されていてもよいし、顔判定部１１４により顔の特徴量が記憶されるようにしてもよい。さらに、顔情報記憶部１１６には、顔の特徴量と、複数の顔の各々に対して補正される補正パラメータとを関連付けて、顔情報として記憶することができる。図９に、顔情報記憶部１１６の記憶内容を示した。図９に示したように、顔情報記憶部１１６には、顔情報４５０が記憶されている。顔情報４５０は、顔の特徴量４５４と補正パラメータ設定情報４５６とが関連付けられた顔各々の情報である。また、顔情報４５０を識別するために、顔情報４５０の各々に顔番号４５２を付して記憶するようにしてもよい。
【００４５】
　本実施形態においては、
顔検出部１０２は、入力画像に含まれる複数の顔の各々の特徴量を検出し
顔の特徴量が一致すると判定された場合に、顔情報記憶部１１６に記憶された補正パラメータに基づいて、入力画像の顔を補正する
【００４６】
　次に、図１０ａおよび図１０ｂに基づいて、本実施形態にかかる画像補正装置１０ｂにおける画像補正処理の流れについて説明する。図１０ａおよび図１０ｂは、本実施形態にかかる画像補正装置１０ｂの画像補正処理の流れを説明するフローチャートである。
【００４７】
　まず、ユーザにより、撮影画像等が画像入力部２０に入力され（Ｓ２０２）、入力画像に含まれる顔が検出される（Ｓ２０４）。ステップＳ２０２およびステップＳ２０４の処理は、第１実施形態と同様の処理であるため、詳細な説明は省略する。さらに、本実施形態においては、
顔検出部１０２によって顔の特徴量が検出される（Ｓ２０６）。ステップＳ２０６において検出された顔の特徴量が、顔情報記憶部１１６に記憶されている顔の特徴量と一致するか否かを判定する（Ｓ２０８）。ステップＳ２０８において、上記したように、特徴量を比較した結果が一定の閾値以上である場合には、顔の特徴量が一致するとして、顔情報記憶部１１６に記憶された、顔の特徴量に関連付けられた補正パラメータを取得する
ステップＳ２０８において、顔の特徴量が一致しないと判定された場合には、顔情報記憶部１１６に顔情報を記憶（登録）する
【００４８】
　そして、ステップＳ２０４において検出された顔のすべてについて、顔の特徴量についての判定が終了したか否かが判定される（Ｓ２１２）。ステップＳ２１２において、すべての顔の判定が終了していない場合には、ステップＳ２０６からステップＳ２１２までの処理を繰り返す。ステップＳ２１２において、
すべての顔の判定が終了した場合には、ステップＳ２１１において取得された補正パラメータに基づいて、顔の補正を行う（Ｓ２１４）。ステップＳ２１４における画像補正は、第１実施形態と同様に、顔に顔枠が重畳されるとともに、顔情報記憶部１１６に記憶された補正パラメータに基づいて顔の各々に画像補正がなされる
【００４９】
　ステップＳ２１６以降の処理であるステップＳ２１８からステップＳ２３４までの処理は、第１実施形態のＳ１１０からＳ１２６までの処理と同様であるため、詳細な説明は省略する。ステップＳ２１６までの処理によって、顔情報記憶部１１６に記憶されている補正パラメータに基づいて既に補正がなされている顔と、まったく補正がなされていない顔とが表示されていることとなる。この場合、既に補正がなされた顔については、設定された補正パラメータの情報をさらに重畳して表示するようにしてもよい。第１実施形態において示した、ユーザの選択に応じた顔の補正は、補正がなされていない顔についてのみに行ってもよいし、既に補正がなされた顔について行ってもよい。
【００５０】
　ステップＳ２１８からステップＳ２３４までの
ユーザの選択に応じた画像補正処理が終了した後に、ユーザにより選択された補正パラメータ設定情報を顔情報記憶部１１６に記憶する（Ｓ２３６）。これにより、顔情報記憶部１１６に記憶された顔情報の各々に最新の補正パラメータが記憶されることとなる
【００５１】
　本実施形態によれば、入力画像に含まれる顔の特徴量と、顔情報記憶部に予め記憶された顔の特徴量とが一致するか否かを判定し、一致した場合に、顔情報記憶部に記憶された補正パラメータに基づいて入力画像の顔を補正することができる。また、顔情報記憶部に予め顔の特徴量が記憶されていなかった場合には、一度設定された補正パラメータを当該顔の特徴量に関連付けて記憶しておくことができる。これにより、一度設定されて記憶された補正パラメータを再度利用して、入力画像に含まれる複数の顔の各々に対して画像補正をすることが可能となる。すなわち、
入力画像に含まれるある顔に対して、一度補正パラメータが設定されれば、その後の入力画像に含まれる同一の顔に対して、ユーザにより補正パラメータが設定されなくとも、設定された補正処理が自動的になされることとなる
（オ）「【図５】
」
（４−３）引用文献に記載された発明及び技術
ア　引用文献１に記載された発明
　引用文献１に記載された発明を以下に認定する。
（ア）写真シール作成装置について
　上記（４−２）ア（ア）によれば、引用文献１には、『撮影や編集等の作業を利用者に遊戯サービスとして行わせる写真シール作成装置』の発明が記載されている。
（イ）カメラについて
　上記（４−２）ア（イ）によれば、「写真シール作成装置」は「制御部」を有しており、「制御部」には「撮影部」が接続され、「撮影部」は「カメラ」を有し、「カメラ」は、「利用者を被写体として撮影を行う」ことが記載されている。
　したがって、引用文献１には、「写真シール作成装置」が『利用者を被写体として撮影を行うカメラ』を備えることが記載されている。
（ウ）タッチパネルモニタについて
　上記（４−２）ア（イ）によれば、「撮影部」は「タッチパネルモニタ」を有し、「タッチパネルモニタ」は、「ライブビューモニタ」を備え、「ライブビューモニタ」は、「制御部より供給されるRGB信号に基づく画像（カメラによりリアルタイムに取り込まれている画像や、撮影画像を用いて作成された合成画像、GUI画像など）を表示」し、「タッチパネルモニタ」は、「利用者が、自分自身の指等を用いてこのタッチパネルモニタにタップ（接触または近接）すると、その位置情報を制御部に供給し、制御部は、その位置情報を解析し、表示画像に対して利用者が入力した情報や指示を特定し、受け付けること」が記載されている。
　したがって、引用文献１には、「写真シール作成装置」が『カメラによりリアルタイムに取り込まれている画像や、撮影画像を用いて作成された合成画像、GUI画像などを表示するライブビューモニタを備えるタッチパネルモニタであって、利用者が、自分自身の指等を用いてこのタッチパネルモニタにタップすると、その位置情報を制御部に供給するタッチパネルモニタ』を備えることが記載されている。
（エ）制御部について
　上記（４−２）ア（ウ）によれば、「制御部」は、「利用者を撮影する等の写真シール作成ゲームの撮影作業の工程に関する処理を行う撮影処理部」を有し、「撮影処理部」は、「コース選択制御部」、「撮影画像取得部」、「画像処理制御部」から構成されることが記載されている。
　したがって、引用文献１には、「写真シール作成装置」が『利用者を撮影する等の写真シール作成ゲームの撮影作業の工程に関する処理を行う撮影処理部であって、コース選択制御部、撮影画像取得部、画像処理制御部から構成される撮影処理部を有する制御部』を備えることが記載されている。
（オ）撮影コースの選択について
　上記（４−２）ア（エ）によれば、「コース選択制御部」は、「タッチパネルモニタ５２に、撮影コース選択画面を表示させ、利用者に撮影コースを選択させる」ことが記載されている。
　また、上記（４−２）ア（エ）によれば、「撮影コースには、利用者の属性（例えば、利用者の間柄）に関するコースとして、例えば、カップルコースとフレンドコース」とがあり、「カップルコースは、特に、男女２人組の利用者向けの撮影処理が行われる撮影コースであり、フレンドコースは、同性２人組や３人以上のグループの利用者向けの撮影処理が行われる撮影コースである」ことが記載されている。
　したがって、引用文献１には、『コース選択制御部が、タッチパネルモニタに、撮影コース選択画面を表示させ、利用者に撮影コースを選択させ、撮影コースには、男女２人組の利用者向けの撮影処理が行われるカップルコースと、同性２人組や３人以上のグループの利用者向けの撮影処理が行われるフレンドコースがある』ことが記載されている。
（カ）フレンドコース撮影処理について
　上記（４−２）ア（キ）によれば、引用文献１には、『フレンドコース撮影処理』が記載されている。
　フレンドコース撮影処理に関して、上記（４−２）ア（キ）によれば、「図２１および図２２のフローチャートのステップＳ１１１乃至Ｓ１１３，Ｓ１１６乃至Ｓ１２０，Ｓ１２２乃至Ｓ１３０，Ｓ１３２乃至Ｓ１３５の処理は、図１３および図１４のフローチャートのステップＳ３１乃至Ｓ３３，Ｓ３６乃至Ｓ４０，Ｓ４２乃至Ｓ５０，Ｓ５２乃至Ｓ５５の処理と基本的に同様である」と記載されているから、「フレンドコース撮影処理」の認定に当たっては、図１３に関する記載も参照する。
　また、上記（４−２）ア（オ）、（キ）、（コ）、（ス）によれば、「フレンドコース撮影処理」は、「画像処理の選択画面を表示するステップＳ１１４」、「利用者毎の画像処理の選択を受け付けるステップＳ１１５」、「カウントダウンインジケータを表示し、撮影を行うステップＳ１２０」、「撮影画像に利用者毎の画像処理を行うステップＳ１２１」を含むことが記載されている。
　また、上記（４−２）ア（ケ）によれば、「フレンドコース撮影処理においても、図１７のフローチャートを参照して説明したカップルコース撮影処理と同様に、ためし撮影を行った後に、目サイズ変更処理などの画像処理を選択させるようにしてもよい」と記載されているから、引用文献１には、「画像処理の選択画面を表示するステップＳ１１４」の前に、「ためし撮影」を行うことも記載されているといえ、「フレンドコース撮影処理」の認定に当たっては、図１７に関する記載も参照する。
（カ−１）ためし撮影について
　上記（４−２）ア（カ）によれば、「利用者の顔をためし撮影することで顔画像を得て、選択された性別毎の画像処理を施した顔画像を、サンプル画像として表示するようにしたカップルコース撮影処理」が記載されている。
　上記（４−２）ア（カ）によれば、「ためし撮影」に関して、「ステップＳ７６において、コース選択制御部２１３は、タッチパネルモニタ５２に、ためし撮影実行画面を表示させ、利用者にためし撮影を行わせ」、「ためし撮影実行画面４００の上部には、２名の利用者それぞれに、ためし撮影の準備を促すメッセージ「枠の中に入って、ためし撮りするよ！」が表示され」、「ためし撮影カウントダウンインジケータ４１２に表示されている数字が「０」になったときにためし撮影が行われる」ことが記載されている。
　したがって、引用文献１には、『コース選択制御部が、ためし撮影実行画面に、ためし撮影の準備を促すメッセージを表示させ、利用者の顔をためし撮影することで顔画像を得る』ことが記載されている。
（カ−２）画像処理の選択について
　上記（４−２）ア（キ）によれば、「ステップＳ１１４において、コース選択制御部２１３は、撮影画像に対して行われる画像処理の種類を選択させるための選択画面（GUI）を、タッチパネルモニタ５２に表示」し、「画像処理の種類を選択させる選択画面としては、例えば、図２３に示す目の大きさ選択画面が表示され」、「ステップＳ１１５において、コース選択制御部２１３は、ステップＳ１１４の処理で表示された目の大きさ選択画面５０１における、利用者毎の画像処理の選択、すなわち、目の大きさの選択を受け付ける」ことが記載されている。
　したがって、引用文献１には、『コース選択制御部が、撮影画像に対して行われる画像処理の種類を選択させるための選択画面（GUI）として、目の大きさ選択画面をタッチパネルモニタに表示し、利用者毎の画像処理の選択、すなわち、目の大きさの選択を受け付ける』ことが記載されている。
（カ−３）画像処理について
　上記（４−２）ア（オ）によれば、「ステップＳ４０において、撮影画像取得部２１６は、カメラ５１を制御して撮影を行い、撮影画像を得る」こと、「所定回数撮影したか否かを判定し、撮影枚数が予め定められている所定回数に達していない場合、処理は、ステップＳ３９に戻り、それ以降の処理が繰り返される。撮影画像を得るための撮影が行われ、合計６回の撮影が行われる」ことが記載されている。
　また、上記（４−２）ア（キ）によれば、「ステップＳ１２１において、画像処理制御部２１７は、ステップＳ１２０において得られた撮影画像における被写体それぞれに対して、ステップＳ１１５において選択された画像処理（目サイズ変更処理）を行う」ことが記載されている。
　したがって、引用文献１には、『撮影画像取得部が、カメラを制御して、所定回数（合計６回）の撮影を行い、画像処理制御部が、撮影画像における被写体それぞれに対して、選択された画像処理（目サイズ変更処理）を行う』ことが記載されている。
（カ−４）目の大きさ選択画面について
　上記（４−２）ア（ク）、（セ）によれば、「フレンドコース撮影処理において、３人で撮影作業を行う場合」の「目の大きさ選択画面５０１の例」について、「ライブビュー画像表示部５１１においては、カメラ５１からの、被写体Ａ、被写体Ｂ、および被写体Ｃのライブビュー画像が表示され」、「目の大きさ選択ボタン５１２−１および５１２−２それぞれの下に、目の大きさ選択ボタン５１２−１および５１２−２それぞれに対する目の大きさの選択を決定させるためのOKボタン５１４−１および５１４−２が設けられ」、「目の大きさ選択ボタン５１２−１およびOKボタン５１４−１は、１人目の被写体に対応し、目の大きさ選択ボタン５１２−２およびOKボタン５１４−２は、２人目の被写体に対応している」と記載されている。
　また、上記（４−２）ア（ク）によれば、「被写体Ａ、被写体Ｂ、および被写体Ｃは、それぞれ、１人目、２人目、および３人目の被写体として認識され」、「被写体Ａに対応する利用者は、目の大きさ選択ボタン５１２−１により目の大きさを選択し、OKボタン５１４−１によりその選択を決定させ、被写体Ｂに対応する利用者は、目の大きさ選択ボタン５１２−２により目の大きさを選択し、OKボタン５１４−２によりその選択を決定させることができる」と記載されている。
　さらに、上記（４−２）ア（ク）によれば、「利用者（被写体）が３人であっても、目の大きさを選択・決定可能な２人のうち、先に選択・決定の操作をした被写体に対応する目の大きさ選択ボタン５１２およびOKボタン５１４が、３人目の被写体に対応するようになるので、被写体３人それぞれが、目の大きさを選択・決定することができる」と記載されている。
　以上の記載は、「ためし撮影」を行わない場合の記載であるところ、上記（４−２）ア（カ）、（シ）によれば、「ためし撮影」を行う場合の「撮影画像に対して行われる画像処理の種類を選択させるための選択画面」について、「ステップＳ７７において、コース選択制御部２１３は、撮影画像に対して行われる画像処理の種類を選択させるための選択画面（GUI）を、タッチパネルモニタ５２に表示する」、「ステップＳ７６においてためし撮影が行われると、タッチパネルモニタ５２に表示されていた図１９Ａで示されたためし撮影実行画面４００は、図１９Ｂに示される性別選択画面４２０に切り替わる」、「性別選択画面４２０の中央付近には、ためし撮影実行画面４００と同様に、顔画像表示部４１１−１および４１１−２が設けられている。ただし、ここでは、ためし撮影の結果得られた、被写体Ａおよび被写体Ｂの静止画像における顔の領域（顔画像）が顔画像表示部４１１−１および４１１−２それぞれに表示されている」と記載されている。
　以上によれば、「ためし撮影」を行う場合には、「目の大きさ選択画面」には、「ためし撮影の結果得られた被写体の静止画像」が表示されるものと解するのが相当である。
　したがって、引用文献１には、
『３人で撮影作業を行う場合に、目の大きさ選択画面は、
　ためし撮影の結果得られた被写体の静止画像と、
　１人目の被写体である被写体Ａに対応するOKボタン５１４−１と、目の大きさ選択ボタン５１２−１と、
　２人目の被写体である被写体Ｂに対応するOKボタン５１４−２と、目の大きさ選択ボタン５１２−２と、
　を含み、
　被写体Ａに対応する利用者は、目の大きさ選択ボタン５１２−１により目の大きさを選択し、OKボタン５１４−１によりその選択を決定させ、
　被写体Ｂに対応する利用者は、目の大きさ選択ボタン５１２−２により目の大きさを選択し、OKボタン５１４−２によりその選択を決定させることができ、
　目の大きさを選択・決定可能な２人のうち、先に選択・決定の操作をした被写体に対応する目の大きさ選択ボタンおよびOKボタンが、３人目の被写体に対応するようになり、被写体３人それぞれが、目の大きさを選択・決定することができる』
ことが記載されている。
（キ）まとめ
　以上によれば、引用文献１には、次の発明（以下、「引用発明」という。）が記載されていると認められる。引用発明の各構成については、以下、構成ａ〜構成ｆと称する。
（引用発明）
（ａ）利用者を被写体として撮影を行うカメラと、
（ｂ）カメラによりリアルタイムに取り込まれている画像や、撮影画像を用いて作成された合成画像、GUI画像などを表示するライブビューモニタを備えるタッチパネルモニタであって、利用者が、自分自身の指等を用いてこのタッチパネルモニタにタップすると、その位置情報を制御部に供給するタッチパネルモニタと、
（ｃ）利用者を撮影する等の写真シール作成ゲームの撮影作業の工程に関する処理を行う撮影処理部であって、コース選択制御部、撮影画像取得部、画像処理制御部から構成される撮影処理部を有する制御部と、を備え、
（ｄ）コース選択制御部が、タッチパネルモニタに、撮影コース選択画面を表示させ、利用者に撮影コースを選択させ、撮影コースには、男女２人組の利用者向けの撮影処理が行われるカップルコースと、同性２人組や３人以上のグループの利用者向けの撮影処理が行われるフレンドコースがあり、
（ｅ）フレンドコース撮影処理において、
（ｅ１）コース選択制御部が、ためし撮影実行画面に、ためし撮影の準備を促すメッセージを表示させ、利用者の顔をためし撮影することで顔画像を得て、
（ｅ２）コース選択制御部が、撮影画像に対して行われる画像処理の種類を選択させるための選択画面（GUI）として、目の大きさ選択画面をタッチパネルモニタに表示し、利用者毎の画像処理の選択、すなわち、目の大きさの選択を受け付け、
（ｅ３）撮影画像取得部が、カメラを制御して、所定回数（合計６回）の撮影を行い、画像処理制御部が、撮影画像における被写体それぞれに対して、選択された画像処理（目サイズ変更処理）を行い、
（ｅ４）３人で撮影作業を行う場合に、目の大きさ選択画面は、
　ためし撮影の結果得られた被写体の静止画像と、
　１人目の被写体である被写体Ａに対応するOKボタン５１４−１と、目の大きさ選択ボタン５１２−１と、
　２人目の被写体である被写体Ｂに対応するOKボタン５１４−２と、目の大きさ選択ボタン５１２−２と、
　を含み、
　被写体Ａに対応する利用者は、目の大きさ選択ボタン５１２−１により目の大きさを選択し、OKボタン５１４−１によりその選択を決定させ、
　被写体Ｂに対応する利用者は、目の大きさ選択ボタン５１２−２により目の大きさを選択し、OKボタン５１４−２によりその選択を決定させることができ、
（ｅ５）目の大きさを選択・決定可能な２人のうち、先に選択・決定の操作をした被写体に対応する目の大きさ選択ボタンおよびOKボタンが、３人目の被写体に対応するようになり、被写体３人それぞれが、目の大きさを選択・決定することができる
（ｆ）撮影や編集等の作業を利用者に遊戯サービスとして行わせる写真シール作成装置。
イ　引用文献２に記載された技術
　上記（４−２）イ（ア）〜（オ）によれば、引用文献２には、以下の技術が記載されていると認められる。
（文献２技術Ａ）
「複数の顔の各々に対して所望の補正をする写真シール販売装置の画像補正装置において、
　複数種類の補正処理を選択するための選択メニューを表示させる技術。」
（文献２技術Ｂ）
「複数の顔の各々に対して所望の補正をする写真シール販売装置の画像補正装置において、
　顔検出部が、入力画像に含まれる複数の顔の各々の特徴量を検出し、
　入力画像に含まれる顔の特徴量と、顔情報記憶部に記憶された顔の特徴量とが一致するか否かを判定し、
　顔の特徴量が一致しないと判定された場合には、顔情報記憶部に顔情報を記憶し、
　ユーザにより選択された補正パラメータ設定情報を顔情報記憶部に記憶することにより、顔情報記憶部に記憶された顔情報の各々に最新の補正パラメータが記憶されるようにし、
　顔の特徴量が一致すると判定された場合に、顔情報記憶部に記憶された補正パラメータに基づいて、入力画像の顔を補正することにより、
　入力画像に含まれるある顔に対して、一度補正パラメータが設定されれば、その後の入力画像に含まれる同一の顔に対して、ユーザにより補正パラメータが設定されなくとも、設定された補正処理が自動的になされることとする技術。」
（４−４）対比
　次に、本願補正発明と引用発明を対比する。
ア　構成Ｅについて
　構成ｆの「撮影や編集等の作業を利用者に遊戯サービスとして行わせる写真シール作成装置」は「遊戯用撮影装置」といえる。
　したがって、本願補正発明と引用発明は、「遊戯用撮影装置」である点で一致する。
イ　構成Ａについて
　構成ａの「利用者を被写体として撮影を行うカメラ」は、「利用者を撮影する撮影手段」といえる。
　したがって、本願補正発明と引用発明は、「利用者を撮影する撮影手段」を備える点で一致する。
ウ　構成Ｂについて
　構成ｂの「タッチパネルモニタ」が備える「カメラによりリアルタイムに取り込まれている画像や、撮影画像を用いて作成された合成画像、GUI画像などを表示するライブビューモニタ」は、「撮影画像を表示する表示手段」といえる。
　したがって、本願補正発明と引用発明は、「撮影画像を表示する表示手段」を備える点で一致する。
エ　構成Ｃについて
　構成ｂの「利用者が、自分自身の指等を用いてこのタッチパネルモニタにタップすると、その位置情報を制御部に供給するタッチパネルモニタ」が、構成ｂの「ライブビューモニタ」の表示画面に対して操作入力を行うものであることは当業者にとって明らかである。
　よって、構成ｂの「タッチパネルモニタ」は、上記ウの「表示手段」の「表示画面」に対して「利用者が操作入力を行うための入力手段」に相当する構成を備えているといえる。
　したがって、本願補正発明と引用発明は、「表示手段の表示画面に対して利用者が操作入力を行うための入力手段」を備える点で一致する。
オ　構成Ｄについて
　構成ｃの「制御部」が、「利用者を撮影する等の写真シール作成ゲームの撮影作業の工程に関する処理を行う」ために、上記イの「撮影手段」、上記ウの「表示手段」及び上記エの「入力手段」を制御する必要があることは当業者にとって明らかであるから、構成ｃの「制御部」は、上記イ〜エの「各手段」を制御する「制御手段」といえる。
　したがって、本願補正発明と引用発明は、「前記各手段を制御する制御手段」を備える点で一致する。
カ　構成Ｄ１について
　構成ｅ１の「ためし撮影」、「顔画像」は、それぞれ、構成Ｄ１の「識別撮影」、「取得画像」に相当するから、構成ｅ１の「コース選択制御部が、ためし撮影実行画面に、ためし撮影の準備を促すメッセージを表示させ、利用者の顔をためし撮影することで顔画像を得る」ことは、「識別撮影により取得画像を取得する処理」といえる。
　したがって、本願補正発明と引用発明の「制御手段」は、「識別撮影により取得画像を取得する処理」を実行する点で共通する。
　ただし、「識別撮影」が、本願補正発明では、「利用者に正面を向かせる指示を伴って行われる」のに対し、引用発明では、「利用者に正面を向かせる指示を伴って行われる」ものではない点で両発明は相違する。
　また、本願補正発明は、「識別撮影により取得した取得画像に含まれる、利用者の顔を個別に識別するための特徴量に基づいて、第１の利用者と第２の利用者を個別に識別する識別処理」を実行するのに対し、引用発明は、当該識別処理を実行していない点で両発明は相違する。
キ　構成Ｄ２について
　構成ｅ２の「利用者毎の画像処理の選択、すなわち、目の大きさの選択」は「タッチパネルモニタ」における操作入力に基づくものと解される。
　また、構成ｅ２の「利用者」には、構成ｅ４の「被写体Ａ」及び「被写体Ｂ」が含まれるといえる。
　そして、構成ｅ２の「画像処理」は、構成Ｄ２の「補正処理」に相当する。
　よって、構成ｅ２の「コース選択制御部が、撮影画像に対して行われる画像処理の種類を選択させるための選択画面（GUI）として、目の大きさ選択画面をタッチパネルモニタに表示し、利用者毎の画像処理の選択、すなわち、目の大きさの選択を受け付ける」ことは、「利用者の画像に施す補正処理の内容を選択するための操作入力に基づいて、第１及び第２の利用者ごとにその補正処理の内容を決定する決定処理」といえる。
　したがって、本願補正発明と引用発明の「制御手段」は、「利用者の画像に施す補正処理の内容を選択するための操作入力に基づいて、第１及び第２の利用者ごとにその補正処理の内容を決定する決定処理」を実行する点で一致する。
ク　構成Ｄ３について
　構成ｅ３の「所定回数（合計６回）の撮影」は、上記カの「識別撮影」以外の撮影であり、構成ｅ３の「被写体」には、構成ｅ４の「被写体Ａ」及び「被写体Ｂ」が含まれるから、構成ｅ３の「撮影画像取得部が、カメラを制御して、所定回数（合計６回）の撮影を行い、画像処理制御部が、撮影画像における被写体それぞれに対して、選択された画像処理（目サイズ変更処理）を行う」ことは、「識別撮影以外の複数回の撮影によって得られた複数の撮影画像に含まれる利用者の画像のうち、第１の利用者の画像に、前記第１の利用者について決定した内容の補正処理を施し、第２の利用者の画像に、前記第２の利用者について決定した内容の補正処理を施す画像処理」といえる。
　したがって、本願補正発明と引用発明の「制御手段」は、「識別撮影以外の複数回の撮影によって得られた複数の撮影画像に含まれる利用者の画像のうち、第１の利用者の画像に、前記第１の利用者について決定した内容の補正処理を施し、第２の利用者の画像に、前記第２の利用者について決定した内容の補正処理を施す画像処理」を実行する点で共通する。
　ただし、「画像処理」について、本願補正発明は、「前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す」のに対し、引用発明は、当該補正処理を施さない点で、両発明は相違する。
ケ　構成Ｄ４、Ｄ５について
　構成ｅ２の「利用者」には、構成ｅ４の「被写体Ａ」及び「被写体Ｂ」が含まれるから、構成ｅ２の「コース選択制御部が、撮影画像に対して行われる画像処理の種類を選択させるための選択画面（GUI）として、目の大きさ選択画面をタッチパネルモニタに表示し、利用者毎の画像処理の選択、すなわち、目の大きさの選択を受け付ける」ことは、「第１の利用者の画像に対する補正処理の内容を選択する操作入力と、第２の利用者の画像に対する補正処理の内容を選択する前記入力と、を個別に行うための操作画面を、表示手段に表示させる」ことといえる。
　したがって、本願補正発明と引用発明の「制御手段」は、「決定処理」において、「第１の利用者の画像に対する補正処理の内容を選択する操作入力と、第２の利用者の画像に対する補正処理の内容を選択する前記入力と、を個別に行うための操作画面を、表示手段に表示させる」点で一致する。
コ　構成Ｄ５−１について
　構成ｅ４の「被写体」には、「被写体Ａ」及び「被写体Ｂ」が含まれるから、構成ｅ４の「ためし撮影の結果得られた被写体の静止画像」は、「第１及び第２の利用者の画像」といえる。
　したがって、本願補正発明と引用発明の「操作画面」は、「第１及び第２の利用者の画像」を含む点で一致する。
サ　構成Ｄ５−２について
　構成ｅ４の「１人目の被写体である被写体Ａに対応するOKボタン５１４−１」と、「目の大きさ選択ボタン５１２−１」は、それぞれ、「第１の利用者用の第１の操作ボタン」、「第１の利用者の画像に施す補正処理の内容を選択するための第１の選択ボタン」といえ、構成ｅ４の「１人目の被写体である被写体Ａに対応するOKボタン５１４−１」と、「目の大きさ選択ボタン５１２−１」を含む画面は「第１の選択画面」といえる。
　また、構成ｅ４の「被写体Ａに対応する利用者は、目の大きさ選択ボタン５１２−１により目の大きさを選択し、OKボタン５１４−１によりその選択を決定させる」ことは、「OKボタン５１４−１によりその選択を決定させる」までは、「被写体Ａに対応する利用者は、目の大きさ選択ボタン５１２−１により目の大きさを選択」できることといえるから、「第１の操作ボタンが操作されるまで第１の選択ボタンによる選択を許容する」ことといえる。
　したがって、本願補正発明と引用発明の「操作画面」は、「第１の利用者用の第１の操作ボタンと、前記第１の利用者の画像に施す補正処理の内容を選択するための第１の選択ボタンとを含む第１の選択画面であって、前記第１の操作ボタンが操作されるまで前記第１の選択ボタンによる選択を許容する前記第１の選択画面」を含む点で一致する。
　ただし、「第１の選択ボタン」で選択する補正処理の内容が、本願補正発明では、「複数種類」であるのに対し、引用発明では、複数種類でない点で両発明は相違する。
シ　構成Ｄ５−３について
　構成ｅ４の「２人目の被写体である被写体Ｂに対応するOKボタン５１４−２」と、「目の大きさ選択ボタン５１２−２」は、それぞれ、「第２の利用者用の第２の操作ボタン」、「第２の利用者の画像に施す補正処理の内容を選択するための第２の選択ボタン」といえ、構成ｅ４の「２人目の被写体である被写体Ｂに対応するOKボタン５１４−２」と、「目の大きさ選択ボタン５１２−２」を含む画面は「第２の選択画面」といえる。
　また、構成ｅ４の「被写体Ｂに対応する利用者は、目の大きさ選択ボタン５１２−２により目の大きさを選択し、OKボタン５１４−２によりその選択を決定させる」ことは、「OKボタン５１４−２によりその選択を決定させる」までは、「被写体Ｂに対応する利用者は、目の大きさ選択ボタン５１２−２により目の大きさを選択」できることといえるから、「第２の操作ボタンが操作されるまで第２の選択ボタンによる選択を許容する」ことといえる。
　したがって、本願補正発明と引用発明の「操作画面」は、「第２の利用者用の第２の操作ボタンと、前記第２の利用者の画像に施す補正処理の内容を選択するための第２の選択ボタンとを含む第２の選択画面であって、前記第２の操作ボタンが操作されるまで前記第２の選択ボタンによる選択を許容する前記第２の選択画面」を含む点で一致する。
　ただし、「第２の選択ボタン」で選択する補正処理の内容が、本願補正発明では、「複数種類」であるのに対し、引用発明では、複数種類でない点で両発明は相違する。
ス　構成Ｄ６について
　構成ｅ５の「３人目の被写体」は、「第１及び第２の利用者以外の利用者」といえ、構成ｅ５の「目の大きさを選択・決定可能な２人のうち、先に選択・決定の操作をした被写体に対応する目の大きさ選択ボタンおよびOKボタンが、３人目の被写体に対応するようになり、被写体３人それぞれが、目の大きさを選択・決定することができる」ことにより、構成ｅ３の「撮影画像取得部が、カメラを制御して、所定回数（合計６回）の撮影を行い、画像処理制御部が、撮影画像における被写体それぞれに対して、選択された画像処理（目サイズ変更処理）を行う」際に、３人目の被写体に対しても選択された画像処理（目サイズ変更処理）が行われるのであるから、構成ｅ３は、「第１及び第２の利用者以外の利用者が撮影画像に含まれる場合に、当該利用者についても所定の補正を施す」といえる。
　したがって、本願補正発明と引用発明の「制御手段」は、「第１及び第２の利用者以外の利用者が撮影画像に含まれる場合に、当該利用者についても所定の補正を施す」点で一致する。
　この点に関して、請求人は、平成３０年７月４日付けの意見書において、「しかし、引用文献１には、利用者の被写体Ａ〜Ｃではない別の被写体Ｄが撮影画像に含まれる場合の処理については、記載も示唆もされておりません。」と主張しているが、本件補正後の請求項１には、「第１及び第２の利用者以外の利用者が前記撮影画像に含まれる場合」としか記載されておらず、利用者が被写体Ａ〜Ｄの４人であるとは記載されていないから、請求人の主張は請求項の記載に基づくものではなく、採用することができない。
　なお、仮に、被写体が４人以上存在するとしても、上記（４−２）ア（ク）によれば、引用文献１には、「被写体が４人以上であっても同様である」と記載されているから、本願補正発明と引用発明が、構成Ｄ６の点で相違しているとは認められない。
セ　まとめ
　以上によると、本願補正発明と引用発明の一致点及び相違点は、以下のとおりである。
［一致点］
（Ａ）利用者を撮影する撮影手段と、
（Ｂ）撮影画像を表示する表示手段と、
（Ｃ）前記表示手段の表示画面に対して前記利用者が操作入力を行うための入力手段と、
（Ｄ）前記各手段を制御する制御手段と、を備えており、
　前記制御手段は、
（Ｄ１’）識別撮影により取得画像を取得する処理と、
（Ｄ２）前記利用者の画像に施す補正処理の内容を選択するための前記操作入力に基づいて、前記第１及び第２の利用者ごとにその補正処理の内容を決定する決定処理と、
（Ｄ３’）前記識別撮影以外の複数回の撮影によって得られた複数の前記撮影画像に含まれる前記利用者の画像のうち、前記第１の利用者の画像に、前記第１の利用者について決定した内容の補正処理を施し、前記第２の利用者の画像に、前記第２の利用者について決定した内容の補正処理を施す画像処理と、を実行し、
（Ｄ４）前記制御手段は、前記決定処理において、
　前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
（Ｄ５）前記制御手段は、前記操作画面として、
（Ｄ５−１）前記第１及び第２の利用者の画像と、
（Ｄ５−２’）前記第１の利用者用の第１の操作ボタンと、前記第１の利用者の画像に施す補正処理の内容を選択するための第１の選択ボタンとを含む第１の選択画面であって、前記第１の操作ボタンが操作されるまで前記第１の選択ボタンによる選択を許容する前記第１の選択画面と、
（Ｄ５−３’）前記第２の利用者用の第２の操作ボタンと、前記第２の利用者の画像に施す補正処理の内容を選択するための第２の選択ボタンとを含む第２の選択画面であって、前記第２の操作ボタンが操作されるまで前記第２の選択ボタンによる選択を許容する前記第２の選択画面とを、前記表示手段に表示させ、
（Ｄ６）前記制御手段は、前記第１及び第２の利用者以外の利用者が前記撮影画像に含まれる場合に、当該利用者についても所定の補正を施すことを特徴とする
（Ｅ）遊戯用撮影装置。
［相違点］
（相違点１）「識別撮影」（構成Ｄ１）が、本願補正発明では、「利用者に正面を向かせる指示を伴って行われる」のに対し、引用発明では、「利用者に正面を向かせる指示を伴って行われる」ものではない点。
（相違点２）本願補正発明は、「識別撮影により取得した取得画像に含まれる、利用者の顔を個別に識別するための特徴量に基づいて、第１の利用者と第２の利用者を個別に識別する識別処理」（構成Ｄ１）を実行するのに対し、引用発明は、当該識別処理を実行していない点。
（相違点３）「画像処理」（構成Ｄ３）について、本願補正発明は、「前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す」のに対し、引用発明は、当該補正処理を施さない点。
（相違点４）「第１の選択ボタン」（構成Ｄ５−２）で選択する補正処理の内容が、本願補正発明は、「複数種類」であるのに対し、引用発明では、複数種類でない点。
（相違点５）「第２の選択ボタン」（構成Ｄ５−３）で選択する補正処理の内容が、本願補正発明は、「複数種類」であるのに対し、引用発明では、複数種類でない点。
（４−５）判断
ア　相違点１について
　引用発明は顔画像を得るものであるが、識別撮影の際に、顔画像が得られるようにするために、利用者に正面を向かせることは当業者が普通に行うことであるから、引用発明において、「識別撮影」を、「利用者に正面を向かせる指示」を伴って行うことは、当業者が容易に想到し得ることである。
　したがって、相違点１に係る構成は、引用発明に基いて、当業者が容易に想到し得るものである。
イ　相違点２、３について
　引用発明において、構成ｅ２で利用者毎に選択された補正処理を、構成ｅ３で利用者それぞれに対して施すためには、構成ｅ３で利用者を識別し、識別された利用者について選択された画像処理を施す必要があることは、当業者にとって明らかである。
　上記（４−２）イで述べたとおり、引用文献２には、以下の文献２技術Ｂが記載されている。
（文献２技術Ｂ）
「複数の顔の各々に対して所望の補正をする写真シール販売装置の画像補正装置において、
　顔検出部が、入力画像に含まれる複数の顔の各々の特徴量を検出し、
　入力画像に含まれる顔の特徴量と、顔情報記憶部に記憶された顔の特徴量とが一致するか否かを判定し、
　顔の特徴量が一致しないと判定された場合には、顔情報記憶部に顔情報を記憶し、
　ユーザにより選択された補正パラメータ設定情報を顔情報記憶部に記憶することにより、顔情報記憶部に記憶された顔情報の各々に最新の補正パラメータが記憶されるようにし、
　顔の特徴量が一致すると判定された場合に、顔情報記憶部に記憶された補正パラメータに基づいて、入力画像の顔を補正することにより、
　入力画像に含まれるある顔に対して、一度補正パラメータが設定されれば、その後の入力画像に含まれる同一の顔に対して、ユーザにより補正パラメータが設定されなくとも、設定された補正処理が自動的になされることとする技術。」
　ここで、「顔検出部が、入力画像に含まれる複数の顔の各々の特徴量を検出」し、「顔情報記憶部に顔情報を記憶」することは、「取得画像に含まれる、利用者の顔を個別に識別するための特徴量に基づいて、利用者を個別に識別する識別処理を実行する」ことといえる。
　また、「入力画像に含まれる顔の特徴量と、顔情報記憶部に記憶された顔の特徴量とが一致するか否かを判定」し、「顔の特徴量が一致すると判定された場合に、顔情報記憶部に記憶された補正パラメータに基づいて、入力画像の顔を補正する」ことは、「取得画像に含まれる利用者の特徴量とマッチングする利用者の画像に、利用者について決定された内容の補正処理を施す」ことといえる。
　そして、引用発明において、利用者を識別し、識別された利用者について選択された補正処理を施すために、文献２技術Ｂを適用し、識別撮影により取得した取得画像に含まれる、利用者の顔を個別に識別するための特徴量に基づいて、第１の利用者と第２の利用者を個別に識別する識別処理を実行し、前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施すことにより、相違点２及び３に係る構成とすることは、当業者が容易に想到し得ることである。
　したがって、相違点２及び３に係る構成は、引用発明及び文献２技術Ｂに基いて、当業者が容易に想到し得るものである。
ウ　相違点４、５について
　上記（４−２）イで述べたとおり、引用文献２には、以下の文献２技術Ａが記載されている。
（文献２技術Ａ）
「複数の顔の各々に対して所望の補正をする写真シール販売装置の画像補正装置において、複数種類の補正処理を選択するための選択メニューを表示させる技術。」
　そして、引用発明と文献２技術Ａは、いずれも、顔に対して選択された補正処理を行う点で共通するから、引用発明に、文献２技術Ａを適用し、「第１の操作ボタン」で選択する補正処理の内容を「複数種類」とし、「第２の操作ボタン」で選択する補正処理の内容を「複数種類」とすることにより、相違点４及び５に係る構成とすることは、当業者が容易に想到し得ることである。
　したがって、相違点４及び５に係る構成は、引用発明及び文献２技術Ａに基いて、当業者が容易に想到し得るものである。
（４−６）効果等について
　本願補正発明の構成は、上記のように当業者が容易に想到できたものであるところ、本願補正発明が奏する効果は、その容易想到である構成から当業者が容易に予測し得る範囲内のものであり、同範囲を超える顕著なものではない。
（４−７）まとめ
　以上のように、本願補正発明は、引用発明及び引用文献２に記載された技術に基いて、当業者が容易に発明をすることができたものであるから、特許法第２９条第２項の規定により、特許出願の際独立して特許を受けることができるものではない。
３　むすび
　以上のとおり、本件補正は、特許法第１７条の２第６項において準用する同法第１２６条第７項の規定に違反してなされたものであるから、同法第１５９条第１項において読み替えて準用する同法第５３条第１項の規定により却下すべきものである。
　よって、上記補正の却下の決定の結論のとおり決定する。
第３　本願発明について
１　本願発明
　平成３０年７月４日付けの手続補正は上記のとおり却下されたので、本願の請求項に係る発明は、平成２９年１月１８日付けの手続補正により補正された特許請求の範囲の請求項１ないし８に記載された事項により特定されるものであるところ、その請求項１に係る発明（以下、「本願発明」という。）は、次のとおりのものである。
　なお、本願発明の各構成の符号は、説明のために当審において付与したものであり、以下、構成Ａ〜構成Ｅと称する。
（本願発明）
（Ａ）利用者を撮影する撮影手段と、
（Ｂ）撮影画像を表示する表示手段と、
（Ｃ）前記表示手段の表示画面に対して前記利用者が操作入力を行うための入力手段と、
（Ｄ）前記各手段を制御する制御手段と、を備えており、
　前記制御手段は、
（Ｄ１）前記利用者に正面を向かせる指示を伴って行われる識別撮影により取得した取得画像に含まれる、前記利用者の顔を個別に識別するための特徴量に基づいて、第１の利用者と第２の利用者を個別に識別する識別処理と、
（Ｄ２）前記利用者の画像に施す補正処理の内容を選択するための前記操作入力に基づいて、前記第１及び第２の利用者ごとにその補正処理の内容を決定する決定処理と、
（Ｄ３）前記識別撮影以外の複数回の撮影によって得られた複数の前記撮影画像に含まれる前記利用者の画像のうち、前記取得画像に含まれる前記第１の利用者の特徴量とマッチングする前記第１の利用者の画像に、前記第１の利用者について決定した内容の補正処理を施し、前記取得画像に含まれる前記第２の利用者の特徴量とマッチングする前記第２の利用者の画像に、前記第２の利用者について決定した内容の補正処理を施す画像処理と、を実行し、
（Ｄ４）前記制御手段は、前記決定処理において、
　前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
（Ｄ５）前記制御手段は、前記操作画面として、
（Ｄ５−１）前記第１及び第２の利用者の画像と、
（Ｄ５−４）前記第１の利用者用の第１の操作ボタンと、前記第１の利用者の画像に施す複数種類の補正処理の内容を選択するための第１の選択ボタンとを含む第１の選択画面であって、前記第１の操作ボタンが操作されるまで前記第１の選択ボタンによる選択を許容しかつ前記第１の操作ボタンが操作されると次の別の画面に遷移する前記第１の選択画面と、
（Ｄ５−５）前記第２の利用者用の第２の操作ボタンと、前記第２の利用者の画像に施す複数種類の補正処理の内容を選択するための第２の選択ボタンとを含む第２の選択画面であって、前記第２の操作ボタンが操作されるまで前記第２の選択ボタンによる選択を許容しかつ前記第２の操作ボタンが操作されると次の別の画面に遷移する前記第２の選択画面とを、前記表示手段に表示させることを特徴とする
（Ｅ）遊戯用撮影装置。
２　当審における拒絶の理由１（サポート要件）についての判断
　上記第１の２で述べた、平成３０年４月２７日付けの拒絶理由通知書で当審が通知した拒絶の理由のうちの理由１（サポート要件）について検討する。
（１）理由１（サポート要件）の内容
　本願発明の構成Ｄ５、構成Ｄ５−１、構成Ｄ５−４、構成Ｄ５−５は、発明の詳細な説明に記載されたものでない。
（２）発明の詳細な説明の記載
　構成Ｄ５、構成Ｄ５−１、構成Ｄ５−４、構成Ｄ５−５の「操作画面」に関連して、発明の詳細な説明には、以下の記載がある。
ア「【００７７】
　図１４は、利用者による補正態様の選択操作を受け付けるための補正選択受付画面例を示す図である。図１４に示されるように、
撮影操作用タッチパネル２０Ｌ，２０Ｒには、補正態様を選択するための複数の補正態様決定ボタン２０７と、次の画面に遷移するためのＯＫボタン２０５とが表示される
イ「【０１０４】
　図１９は、
利用者毎の操作入力画面を含む撮影画面の一例
撮影操作用タッチパネル２０Ｃには、通常撮影時と同様のリアルタイムプレビュー領域２０１と、このリアルタイムプレビュー領域２０１内に２人の利用者の像と、一方の利用者の左上に当該利用者による補正態様の選択操作を受け付けるための左補正選択受付ウィンドウ２０９Ｌと、他方の利用者の右上に当該利用者による補正態様の選択操作を受け付けるための右補正選択受付ウィンドウ２０９Ｒと、ＯＫボタン２０５とが表示されている
ウ「【０１０５】
　
これら左補正選択受付ウィンドウ２０９Ｌおよび右補正選択受付ウィンドウ２０９Ｒには、図１４に示される補正選択受付画面例と同様に、それぞれ補正態様を選択するための複数の補正態様決定ボタンが表示されており
エ「【図１４】
」
オ「【図１９】
」
（３）判断
（３−１）上記（２）イ、オによれば、発明の詳細な説明には、利用者毎の操作入力画面を含む撮影画面の一例として、撮影操作用タッチパネル２０Ｃに、２人の利用者の像が表示されるリアルタイムプレビュー領域２０１と、一方の利用者による補正態様の選択操作を受け付けるための左補正選択受付ウィンドウ２０９Ｌと、他方の利用者による補正態様の選択操作を受け付けるための右補正選択受付ウィンドウ２０９Ｒと、ＯＫボタン２０５とが表示されることが記載されている。
　また、上記（２）ウ、エ、オによれば、発明の詳細な説明には、左補正選択受付ウィンドウ２０９Ｌおよび右補正選択受付ウィンドウ２０９Ｒには、図１４に示される補正選択受付画面例と同様に、それぞれ補正態様を選択するための複数の補正態様決定ボタンが表示されることが記載されている。
　また、図１４に関して、上記（２）ア、エによれば、発明の詳細な説明には、補正選択受付画面例には、補正態様を選択するための複数の補正態様決定ボタン２０７と、次の画面に遷移するためのＯＫボタン２０５とが表示されることが記載されている。
　以上によれば、構成Ｄ５の「操作画面」は、発明の詳細な説明の「撮影操作用タッチパネル２０Ｃ」に表示される「利用者毎の操作入力画面」に対応し、構成Ｄ５−１の「第１及び第２の利用者の画像」は、発明の詳細な説明の「２人の利用者の像」に対応するといえる。
　また、構成Ｄ５−４の「第１の選択画面」は、発明の詳細な説明の「左補正選択受付ウィンドウ」に対応し、構成Ｄ５−４の「第１の利用者用の第１の操作ボタン」は、発明の詳細な説明の「左補正選択受付ウィンドウ」内の「ＯＫボタン」に対応し、構成Ｄ５−４の「第１の利用者の画像に施す複数種類の補正処理の内容を選択するための第１の選択ボタン」は、発明の詳細な説明の「左補正選択受付ウィンドウ」内の「複数の補正態様決定ボタン」に対応するといえる。
　また、構成Ｄ５−５の「第２の選択画面」は、発明の詳細な説明の「右補正選択受付ウィンドウ」に対応し、構成Ｄ５−５の「第２の利用者用の第２の操作ボタン」は、発明の詳細な説明の「右補正選択受付ウィンドウ」内の「ＯＫボタン」に対応し、構成Ｄ５−５の「第２の利用者の画像に施す複数種類の補正処理の内容を選択するための第２の選択ボタン」は、発明の詳細な説明の「右補正選択受付ウィンドウ」内の「複数の補正態様決定ボタン」に対応するといえる。
　なお、上記（２）イ、オによれば、図１９の右下にも「ＯＫボタン２０５」が存在しているが、当該ボタンは、「第１の選択画面」や「第２の選択画面」に含まれているわけではないから、構成Ｄ５−４の「第１の操作ボタン」、構成Ｄ５−５の「第２の操作ボタン」には対応しない。
（３−２）ここで、構成Ｄ５−４には、「前記第１の操作ボタンが操作されると次の別の画面に遷移する」とあり、構成Ｄ５−５には、「前記第２の操作ボタンが操作されると次の別の画面に遷移する」とある。
　「画面の遷移」に関して、上記（２）ア、エによれば、発明の詳細な説明には、「撮影操作用タッチパネル２０Ｌ，２０Ｒ」という２つの撮影操作用タッチパネルに、次の画面に遷移するためのＯＫボタン２０５が表示されることが記載されている。
　しかしながら、発明の詳細な説明には、１つの「撮影操作用タッチパネル２０Ｃ」に、左補正選択受付ウィンドウと、右補正選択受付ウィンドウが表示される場合に、「左補正選択受付ウィンドウ」内の「ＯＫボタン」及び「右補正選択受付ウィンドウ」内の「ＯＫボタン」を操作したときに、それぞれ、どのような処理が行われるのかについては、何ら具体的な記載がなく、明らかでない。
　仮に、「左補正選択受付ウィンドウ」内の「ＯＫボタン」及び「右補正選択受付ウィンドウ」内の「ＯＫボタン」のうちのいずれか一方が操作された場合に、「撮影操作用タッチパネル２０Ｃ」の画面全体が次の別の画面に遷移するのだと解釈すると、「左補正選択受付ウィンドウ」及び「右補正選択受付ウィンドウ」のうちの、「ＯＫボタン」が操作されていない方のウィンドウの利用者にとっては、補正処理の内容の選択をまだ終えていないうちに画面全体が次の別の画面に遷移することになる可能性があるから、このような解釈は不合理であると考えられる。
（３−３）以上によると、構成Ｄ５−４の「前記第１の操作ボタンが操作されると次の別の画面に遷移する」、及び、構成Ｄ５−５の「前記第２の操作ボタンが操作されると次の別の画面に遷移する」は、発明の詳細な説明に記載されたものとはいえない。
（４）請求人の主張について
　なお、構成Ｄ５−４の「前記第１の操作ボタンが操作されると次の別の画面に遷移する」、及び、構成Ｄ５−５の「前記第２の操作ボタンが操作されると次の別の画面に遷移する」に関して、請求人は、平成２８年９月１日付けの意見書において、発明の詳細な説明の段落００７７及び図１４に記載がある旨を主張しているが、図１４のような表示形態では、「第１及び第２の利用者の画像」と、「第１の選択画面」及び「第２の選択画面」が、一の「操作画面」をなしているわけではないから、図１４のような表示形態は、構成Ｄ５、構成Ｄ５−１、構成Ｄ５−４、構成Ｄ５−５の「操作画面」として、「第１及び第２の利用者の画像」と、「第１の選択画面」と、「第２の選択画面」とを、「表示手段に表示させる」に対応するものとはいえない。
　したがって、本願の請求項１に係る発明は、発明の詳細な説明に記載したものでない。
第４　むすび
　以上のとおり、本願の請求項１に係る発明は、発明の詳細な説明に記載したものでないから、本願は、特許法第３６条第６項第１号に規定する要件を満たしておらず、特許を受けることができない。
　したがって、本願は、その余の請求項について検討するまでもなく、拒絶をすべきものである。
　よって、結論のとおり審決する。